(57)【要約】【課題】  温度差のある温水を２つの経路で別々に供給する場合であっても、温度むらのない均質な温度分布でお湯を貯留できる浴槽用温水口装置を提供する。【解決手段】  本発明の装置は、第１区画室５ａ、第２区画室５ｂ及び混合室５ｃと、第１及び第２区画室５ａ、５ｂと外部とを連通する第１及び第２流路Ａ、Ｂと、第１及び第２区画室５ａ、５ｂと混合室５ｃとの間を連通する第１及び第２区画室出口５３ａ、５３ｂと、混合室５ｃを浴槽内に連通する吐出口５５とを備える。第１及び第２区画室出口５３ａ、５３ｂが、互いの開口方向を混合室５ｃ内において交差させるように配置される。第１区画室５ａを通って第１区画室出口５３ａから流出される供給水と、第２区画室５ｂを通って第２区画室出口５３ｂから流出される供給水とが、混合室５ｃ内においてぶつかり合って混合されて、吐出口５５から浴槽内に供給される。【選択図】      図５
2005315529.tif 000002
【特許請求の範囲】
【請求項１】
浴槽壁部に沿って配置される区画室部材を具備する浴槽用温水口装置であって、
前記区画室部材の内部に設けられた第１区画室、第２区画室及び混合室と、
前記第１及び第２区画室と浴槽外部とを連通する第１及び第２流路と、
前記第１及び第２区画室と前記混合室との間を連通する第１及び第２区画室出口と、
前記混合室を浴槽内部に連通する吐出口とを備え、
前記第１及び第２区画室出口が、互いの開口方向を前記混合室内において交差させるように配置されてなり、
外部から第１流路及び第１区画室を通って第１区画室出口から流出される供給水と、外部から第２流路及び第２区画室を通って第２区画室出口から流出される供給水とが、混合室内においてぶつかり合って混合されて、前記吐出口から浴槽内部に供給されるよう構成されてなることを特徴とする浴槽用温水口装置。
【請求項２】
前記第１及び第２区画室出口における互いの開口方向の交差角度が、６５〜１１５°に設定されてなる請求項１記載の浴槽用温水口装置。
【請求項３】
前記吐出口に複数の整流フィンが設けられてなる請求項１又は２記載の浴槽用温水口装置。
【請求項４】
前記区画室部材に、前記第１及び第２区画室と浴槽内部とを連通する第１及び第２吸込口が設けられるとともに、前記吐出口が、前記第１及び第２区画室出口に対向する第１及び第２吐出口部に区分けされ、
浴槽外部から前記第１流路及び前記第１区画室に供給された供給水が、前記第１区画室出口、前記混合室及び前記第１吐出口部を通って浴槽内に供給されるとともに、浴槽内から第２吸込口を通って前記第２区画室内に吸い込まれた浴槽水が、前記第２流路を通って浴槽外部に流出させる循環処理を行えるよう構成されてなり、
前記吐出口における第１吐出口部に、前記第１区画室出口から流出される供給水を、その流出方向と同方向に整流する複数の第１整流フィンが設けられてなる請求項１又は２記載の浴槽用温水口装置。
【請求項５】
浴槽外部から前記第２流路及び前記第２区画室に供給された供給水が、前記第２区画室出口、前記混合室及び前記第２吐出口部を通って浴槽内に供給されるとともに、浴槽内から第１吸込口を通って前記第１区画室内に吸い込まれた浴槽水が、前記第１流路を通って浴槽外部に流出させる循環処理を行えるよう構成されてなり、
前記吐出口における第２吐出口部に、前記第２区画室出口から流出される供給水を、その流出方向と同方向に整流する複数の第２整流フィンが設けられてなる請求項４記載の浴槽用温水口装置。
【請求項６】
前記吸込口が、複数の小孔によって形成されてなる請求項４又は５記載の浴槽用温水口装置。
【発明の詳細な説明】
【技術分野】
【０００１】
この発明は、浴槽壁部に設けられ、浴槽に対し温水の吐出や吸込を行うための浴槽用温水口装置に関する。
【背景技術】
【０００２】
従来、浴槽と給湯機とが配管接続されて、湯はり処理や追い焚き処理を行うようにした浴槽システムが周知である。この浴槽システムにおいては、浴槽の側壁に貫通状態に温水口装置が取り付けられるとともに、この装置と室外の給湯機とが配管接続されている。そして、湯はり時には、給湯機から供給された温水を温水口装置を介して浴槽内に導入するとともに、追い焚き時には、槽内の温水を温水口装置から吸い込んで給湯機に送り込み、そこで再加熱した後、槽内に戻すようにしている。
【０００３】
このような浴槽用給湯システムに用いられる温水口装置としては、例えば下記特許文献１に示すものが周知である。この温水口装置は、浴槽内側に突出するように配置される浴槽内突出部を具備し、この浴槽内突出部の内部には、第１及び第２区画室が設けられている。更に浴槽内突出部の前面側に第１及び第２吸込口が設けられるとともに、浴槽内突出部の周側面に第１及び第２吐出口が設けられている。また温水口装置の内部には、第１及び第２区画室と浴槽外部とを連通する第１及び第２流路が設けられている。そして、室外給湯機に接続される外部戻り管が、例えば第１流路に接続されるとともに、給湯機側の外部往き管が、第２流路に接続されている。この構成において、湯はり時には、外部往き管及び戻り管から供給される温水が第１及び第２流路を通って、第１及び第２区画室内に導入されて、第１及び第２吐出口から浴槽内に供給される。また追い炊き時には、外部往き管から供給される温水が第２流路を通って第２区画室内に導入されて、第２吐出口から浴槽内に供給されるとともに、第１吸込口から第１区画室内に吸い込まれた低温の浴槽水が第１流路を通って外部戻り管から室外給湯機に送り込まれることにより、浴槽水が強制的に循環されるよう構成されている。
【特許文献１】特開平１０−４７７８３号（図２０）
【発明の開示】
【発明が解決しようとする課題】
【０００４】
上記従来の浴槽用給湯システムは、湯はり等の給湯時に、第１及び第２流路等の２つの経路を用いて温水を供給するようにした、いわゆるダブル搬送式を採用するものである。
【０００５】
通常、ダブル搬送式の給湯システムにおいては、２つの経路に等温の温水を供給するのが一般的であるが、中には、湯はり等の給湯時に、２の経路に温度の異なる温水を供給するようにしたものも採用されている。
【０００６】
このように２つの経路に温度差のある温水を別々に供給するようにした給湯システムにおいて、上記従来の温水口装置を適用した場合には、例えば低温水が第１流路、第１区画室を通って第１吐出口から吐出されるとともに、高温水が第２流路、第２区画室を通って第２吐出口から吐出され、そしてこれらの低温水及び高温水が、浴槽内において混合されて適温に調整されるものとなる。
【０００７】
しかしながら、２つの吐出口から温度差のある温水が別々に吐出される場合、温度差のある温水同士を、浴槽内において効率良く混合することができず、浴槽内に貯留されるお湯の温度分布に偏りが生じ易く、湯はり当初から快適な入浴環境を自動的に得ることが困難であるという問題が発生する。
【０００８】
この発明は、上記従来技術の問題を解消し、温度差のある温水を２つの経路で別々に浴槽内に向けて供給するようにした給湯システムに適用した場合であっても、温度差のある温水同士を効率良く混合できて、浴槽内に均質な温度分布でお湯を貯留でき、湯はり当初から快適な入浴環境を容易に得ることができる浴槽用温水口装置を提供することを目的とする。
【課題を解決するための手段】
【０００９】
上記目的を達成するため、本発明は、浴槽壁部に沿って配置される区画室部材を具備する浴槽用温水口装置であって、前記区画室部材の内部に設けられた第１区画室、第２区画室及び混合室と、前記第１及び第２区画室と浴槽外部とを連通する第１及び第２流路と、前記第１及び第２区画室と前記混合室との間を連通する第１及び第２区画室出口と、前記混合室を浴槽内部に連通する吐出口とを備え、前記第１及び第２区画室出口が、互いの開口方向を前記混合室内において交差させるように配置されてなり、外部から第１流路及び第１区画室を通って第１区画室出口から流出される供給水と、外部から第２流路及び第２区画室を通って第２区画室出口から流出される供給水とが、混合室内においてぶつかり合って混合されて、前記吐出口から浴槽内部に供給されるよう構成されてなるものを要旨としている。
【００１０】
この発明の浴槽用温水口装置においては、２つの流路に温度の異なる温水がそれぞれ供給される場合であっても、温度差のある温水同士は、区画室部材における混合室内でぶつかり合って十分に混合されるため、温度むらのない状態で温水が浴槽内に供給されて貯留される。従って、浴槽内に貯留されるお湯の温度分布に偏りが生じるのを防止でき、温度むらのない快適な入浴環境を湯はり当初から自動的に得ることができる。
【００１１】
本発明においては、前記第１及び第２区画室出口における互いの開口方向の交差角度が、６５〜１１５°に設定されてなる構成を採用するのが好ましい。
【００１２】
すなわちこの構成を採用する場合には、温度差のある温水同士を、混合室内でより一層効率良く混合することができる。
【００１３】
また本発明においては、前記吐出口に複数の整流フィンが設けられてなる構成を採用するのが良い。
【００１４】
すなわちこの構成を採用する場合には、吐出口から吐出される温水の流速や方向性等を的確に設定することができる。
【００１５】
本発明においては、前記区画室部材に、前記第１及び第２区画室と浴槽内部とを連通する第１及び第２吸込口が設けられるとともに、前記吐出口が、前記第１及び第２区画室出口に対向する第１及び第２吐出口部に区分けされ、浴槽外部から前記第１流路及び前記第１区画室に供給された供給水が、前記第１区画室出口、前記混合室及び前記第１吐出口部を通って浴槽内に供給されるとともに、浴槽内から第２吸込口を通って前記第２区画室内に吸い込まれた浴槽水が、前記第２流路を通って浴槽外部に流出させる循環処理を行えるよう構成されてなり、前記吐出口における第１吐出口部に、前記第１区画室出口から流出される供給水を、その流出方向と同方向に整流する複数の第１整流フィンが設けられてなる構成を採用するのが、より好ましい。
【００１６】
すなわちこの構成において、第１流路を吐出流路側として利用して、追い炊き等の強制循環を行う場合、第１区画室出口から流出される温水は、第１整流フィンの整流作用によって、第１区画室出口からの流出方向に沿って勢いを保ったまま、第１吐出口部から浴槽内に吐出される。こうして、浴槽内に温水が勢い良く浴槽内に吐出されるため、浴槽内の温水が十分に撹拌循環されて、お湯に温度むら等が生じるのを、より確実に防止することができる。
【００１７】
更に本発明においては、浴槽外部から前記第２流路及び前記第２区画室に供給された供給水が、前記第２区画室出口、前記混合室及び前記第２吐出口部を通って浴槽内に供給されるとともに、浴槽内から第１吸込口を通って前記第１区画室内に吸い込まれた浴槽水が、前記第１流路を通って浴槽外部に流出させる循環処理を行えるよう構成されてなり、前記吐出口における第２吐出口部に、前記第２区画室出口から流出される供給水を、その流出方向と同方向に整流する複数の第２整流フィンが設けられてなる請求項４記載の浴槽用温水口装置。
【００１８】
すなわちこの構成を採用する場合には、第１及び第２流路のいずれの流路を吸込側に用いても良い無極性タイプの温水口装置を構成できる上更に、上記と同様に温水の吐出を効果的に行うことができる。
【００１９】
また本発明においては、前記吸込口が、複数の小孔によって形成されてなる構成を採用するのが、より一層好ましい。
【００２０】
すなわちこの構成を採用する場合には、吸込口から浴槽内の温水を吸い込む際に、吸引力が分散されるため、浴槽内に浮遊する毛髪等のゴミが、吸引口に吸い寄せられるのを防止でき、毛髪等が区画室部材の吸込口周辺に吸い付けられたり、装置内部に浸入するのを防止することができる。
【発明の効果】
【００２１】
以上のように、本発明の浴槽用温水口装置によれば、温度差のある温水を２つの経路で別々に浴槽内に向けて供給するようにした給湯システムに適用した場合であっても、温度差のある温水同士を効率良く混合できて、浴槽内に均質な温度分布でお湯を貯留でき、湯はり当初から快適な入浴環境を得ることができるという効果がある。
【発明を実施するための最良の形態】
【００２２】
図１ないし図３はこの発明の実施形態である浴槽用温水口装置（Ｐ）を示す図である。これらの図に示すように、この実施形態の温水口装置（Ｐ）は、浴槽（Ｔ）の側壁に設けられた取付孔（Ｈ）に組み付けられる。この装置（Ｐ）は、浴槽（Ｔ）の外部に設けられた給湯機から供給される温水を浴槽（Ｔ）内に供給するようにした湯はり等の貯湯処理と、浴槽（Ｔ）内の温水を吸い込んで給湯機に送り、そこで再加熱して、高温の温水を浴槽（Ｔ）に戻すようにした追い炊き等の強制循環処理とを行えるものである。
【００２３】
なお、この温水口装置（Ｐ）は、この装置（Ｐ）が備える２つの外管接続部（１ａ）（１ｂ）に対して、給湯機につながる往き管及び戻り管のどちらを接続しても使用可能な、いわゆる無極性タイプのものである。
【００２４】
図１ないし図３に示すように、本実施形態の温水口装置（Ｐ）は、槽外取付具（１）と、装置本体（１０）と、フィルター部材（９）とを基本的な構成要素として備え、更に装置本体（１０）は、槽内取付具（２）と、流路形成部材（３）とを備えている。
【００２５】
槽外取付具（１）は、一端側（前面側）が開放され、かつ他端側（後面側）が閉塞された円筒形状の外筒体（１２）と、その外筒体（１２）の内部に同軸心上に配置される円筒形状の内筒体（１１）と、外筒体（１２）の一端外周に設けられた平板リング状のフランジ（１５）と、外筒体（１２）の他端閉塞壁に設けられ、かつ軸心方向に沿って他端側に延びる管状の第１及び第２外管接続部（１ａ）（１ｂ）とを一体に有する金属製品をもって構成されている。
【００２６】
内筒体（１１）の内側空間は、第１流路（Ａ）の一部として構成されるとともに、内筒体（１１）及び外筒体（１２）との間の空間は、第２流路（Ｂ）の一部として構成されており、上記第１外管接続部（１ａ）が第１流路（Ａ）に連通されるとともに、第２外管接続部（１ｂ）が第２流路（Ｂ）に連通されている。
【００２７】
更に外筒体（１１）の一端側内周面には、雌ねじ（１４）が刻設されている。
【００２８】
また内筒体（１１）の内周面前端部には、合成ゴム製のオーリング（８１）が収容配置される。
【００２９】
槽外取付具（１）のフランジ（１５）に設けられるリング状の合成ゴム製被覆パッキン（８２）は、その内周面に沿って嵌合溝が形成されており、嵌合溝内にフランジ（１５）を嵌め込むことにより、フランジ（１５）の外周面ほぼ全域を被覆した状態で密着固定される。
【００３０】
更に被覆パッキン（８２）の前面側は、厚板状に形成されて、パッキン本体（８２ｂ）として構成されている。
【００３１】
装置本体（１０）は、槽内取付具（２）と、流路形成部材（３）とを有している。
【００３２】
槽内取付具（２）は、両端が開放された円筒形状の筒体（２１）と、その筒体（２１）の一端外周に設けられた平板リング状のフランジ（２５）とを一体に有するポリアセテート樹脂等からなる鍔付き円筒形状の硬質合成樹脂成形品をもって構成されている。
【００３３】
筒体（２１）は、外周面に雄ねじ（２４）が刻設されており、その雄ねじ（２４）及び上記雌ねじ（１４）を介して、上記槽外取付具（１）における外筒体（１２）の筒孔内に螺着できるよう構成されている。
【００３４】
槽内取付具（２）と浴槽（Ｔ）の内壁との間に介在される弾性パッキン（８３）は、フランジ（２５）の形状に対応する平板リング状の合成ゴム成形品をもって構成されている。
【００３５】
更にフランジ（２５）とパッキン（８３）との間に介在される緩衝部材（８４）は、フランジ（２５）の形状に対応する平板リング状に形成されている。この緩衝部材（８４）は、軟質性ないしは弾力性を有するポリエチレン樹脂等の軟質合成樹脂の成形品をもって構成されている。
【００３６】
そして、上記槽外取付具（１）のフランジ（１５）が、浴槽（Ｔ）の外壁面における取付孔（Ｈ）の周縁部に沿うように配置された状態で、槽内取付具（２）のフランジ（１５）が、緩衝部材（８４）及びパッキン（８３）を介して浴槽内壁面における取付孔（Ｈ）の周縁部に圧接されるようにして、槽内取付具（２）の筒体（２１）が取付孔（Ｈ）を通じてねじ込み固定される。これにより、両取付具（１）（２）のフランジ（１５）（２５）が、浴槽側壁における取付孔周縁部を挟持することにより、両取付具（１）（２）が浴槽側壁に貫通状態に固定される。
【００３７】
図４に示すように、装置本体（１０）の流路形成部材（３）は、流路形成部材本体（４）と、蓋体（６）とを具備している。
【００３８】
流路形成部材本体（４）は、硬質合成樹脂の一体成形品からなり、細長円筒形状の筒体（４１）と、その一端に設けられた区画室部材本体（５）とを有している。なお本実施形態においては、区画室部材本体（５）と蓋体（６）とによって区画室部材（５０）が構成されるものである。
【００３９】
筒体（４１）は、上記槽外取付具（１）における内筒体（１１）の内部に適合状態に挿入できる大きさに形成されている。
【００４０】
区画室部材本体（５）は、筒体（４１）の一端に設けられた円板状の後壁（５１）と、その後壁（５１）の前面側外周を囲うようにして設けられた外周壁（５２）とを一体に有している。この区画室部材本体（５）は、径方向の大きさが上記槽内取付具（２）のフランジ（２５）とほぼ同じ大きさに形成されている。
【００４１】
図４及び図５に示すように、区画室部材本体（５）は、その前面側に仕切壁（５３）が一体に形成されて、区画室部材本体（５）の内部が３つの室（５ａ）〜（５ｃ）に区分けされている。このうち第１区画室（５ａ）は、図５に示すように区画室部材本体（５）の右上領域に形成されるとともに、第２区画室（５ｂ）は、左上領域に形成されている。更に混合室（５ｃ）は、中央下部領域に形成されている。なお、図５においては、発明の理解を容易にするため、仕切壁（５３）の形成部分にハッチングを施しておく。
【００４２】
区画室部材本体（５）における第１及び第２区画室（５ａ）（５ｂ）間は、互いに独立して非連通状態に形成されている。更に第１区画室（５ａ）と混合室（５ｃ）との間は第１区画室出口（５３ａ）を介して連通されるとともに、第２区画室（５ｂ）と混合室（５ｃ）との間は第２区画室出口（５３ｂ）を介して連通されている。
【００４３】
第１及び第２区画室出口（５３ａ）（５３ｂ）は、互いの開口軸（Ｅａ）（Ｅｂ）、つまり互いの開口方向が混合室（５ｃ）内において交差するように形成されている。これにより、後に詳述するように第１区画室出口（５３ａ）から混合室（５ｃ）内に供給される温水と、第２区画室出口（５３ｂ）から混合室（５ｃ）内に供給される温水とが混合室（５ｃ）内においてぶつかり合って混合されるよう構成されている。
【００４４】
ここで本実施形態においては、第１及び第２区画室出口（５３ａ）（５３ｂ）の開口軸（Ｅａ）（Ｅｂ）の交差角度θを、６５〜１１５°、好ましくは７５〜１０５°、より好ましくは８０〜１００°に設定するのが良い。すなわちこの角度θが大き過ぎたり、小さ過ぎたりする場合には、温水同士を効果的に混合させるのが困難になる恐れがある。
【００４５】
なお、区画室部材本体（５）の仕切壁（５３）における第１及び第２区画室出口（５３ａ）（５３ｂ）の両側部には、後述する弁部材（７ａ）（７ｂ）を支持するための凹陥部（５４）（５４）がそれぞれ形成されている。
【００４６】
区画室部材本体（５）の第１区画室（５ａ）内における底壁（５１）には、筒体（４１）の内部に連通する第１開口（５１ａ）が形成されており、この開口（５１ａ）によって第１区画室（５ａ）が後述の第１流路（Ａ）に連通される。更に第２区画室（５ｂ）内における底壁（５１）には、筒体（５１）の外部に連通する第２開口（５１ｂ）が形成されており、この開口（５１ｂ）によって第２区画室（５ｂ）が後述の第２流路（Ｂ）に連通される。
【００４７】
区画室部材本体（５）の外周壁（５２）における下部には、吐出口（５５）が形成され、この吐出口（５５）を介して混合室（５ｃ）が外部に開放されている。
【００４８】
吐出口（５５）は、第１区画室出口（５３ａ）に対向して配置される第１吐出口部（５５ａ）と、第２区画室出口（５３ｂ）に対向して配置される第２吐出口部（５５ｂ）とに区分けされている。
【００４９】
各吐出口部（５５ａ）（５５ｂ）には、温水の流通方向を制御するための複数の整流フィン（５９ａ）（５９ｂ）が一体に形成されている。
【００５０】
第１吐出口部（５５ａ）側のフィン（５９ａ）は、第１区画室出口（５３ａ）の開口方向、つまり開口軸（Ｅａ）の方向と略平行に配置されて、第１区画室出口（５３ａ）から流出される温水を、その流出方向と同方向に整流できるよう構成されている。
【００５１】
第２吐出部（５５ｂ）側のフィン（５９ｂ）は、第２区画室出口（５３ｂ）の開口方向、つまり開口軸（Ｅｂ）の方向と略平行に配置されて、第２区画室出口（５３ｂ）から流出される温水を、その流出方向と同方向に整流できるよう構成されている。
【００５２】
また図６に示すように、区画室部材本体（５）における底壁（５１）の後面側外周部には、上記槽内取付具（２）の複数のビス受け用ボス（２６）にそれぞれ対応して、各ボス（２６）を収納可能なボス受け凹部（５７）が周方向に所定の間隔おきに形成されている。更に区画室部材本体（５）における底壁（５１）の前面側外周部には、ボス受け凹部（５７）のいずれか３つに対応して、軸心方向に延びる３つの筒状のビス挿通部（５６）が周方向に等間隔おきに形成されている。
【００５３】
図４及び図７に示すように、蓋体（６）は、区画室部材本体（５）の前面開口部に対応する円板状の硬質合成樹脂成形品をもって構成されている。
【００５４】
この蓋体（６）には、上記区画室部材本体（５）の第１及び第２区画室出口（５３ａ）（５３ｂ）の近傍に対応して、第１及び第２（６ａ）（６ｂ）が形成されている。各吸込口（６ａ）（６ｂ）は、矩形状に配列された多数の小孔をもって構成されている。
【００５５】
また、蓋体（６）の後面側には、第１及び第２区画室出口（５３ａ）（５３ｂ）に対応して、弁取付溝（６１ａ）（６１ｂ）が形成されている。
【００５６】
更に蓋体（６）には、区画室部材本体（５）の３つのビス挿通部（５６）に対応して、３つのビス挿通部（６６）がそれぞれ形成されている。
【００５７】
そして図１ないし図３に示すように、蓋体（６）及び流路形成部材本体（４）が、３本のタッピングビス（３７）によって上記槽内取付具（２）に組付固定される。すなわち、流路形成部材本体（４）の筒体（４１）が槽内取付具（２）の筒体（２１）を通じて、槽外取付具（１）の内筒体（１１）の筒孔に、上記オーリング（８１）を介して適合状態に挿入されるとともに、流路形成部材本体（４）のボス受け凹部（５７）内に槽内取付具（２）のボス（２６）が挿入されることにより、流路形成部材本体（４）の３つのビス挿通部（５６）が、槽内取付具（２）の複数のボス（２６）のうち、対応するいずれか３つのボス（２６）に適合される。更に蓋体（６）のビス挿通部（６６）が流路形成部材本体（４）のビス挿通部（５６）にそれぞれ適合状態に挿入されて、蓋体（６）が流路形成部材本体（４）の前面開口部に閉塞状に配置される。その状態で、蓋体（６）の前面側からビス（３７）が、ビス挿通部（６６）（５６）に挿通されて、対応するボス（２６）にねじ止め固定される。これにより、蓋体（６）が流路形成部材本体（４）に固定されて、流路形成部材（３）が組み付けられると同時に、その流路形成部材（３）が槽内取付具（２）に固定される。
【００５８】
このとき、槽外取付具（１）の内筒体（１１）の内部が、流路形成部材（３）の筒体（４１）の内部が連通して、第１流路（Ａ）として構成されるとともに、その第１流路（Ａ）が第１開口（５１ａ）を介して第１区画室（５ａ）に連通されている。更に槽外取付具（１）の内外筒体（１１）（１２）間が、槽内取付具（２）の筒体（２１）及び流路形成部材（４）の筒体（４１）間に連通して、第２流路（Ｂ）が構成されるとともに、その第２流路（Ｂ）が第２開口（５１ｂ）を介して第２区画室（５ｂ）に連通されている。
【００５９】
また、この組付状態においては、装置本体（１０）の前部、すなわち区画室部材（５０）が、浴槽内側面よりも内方に突出した状態に配置されている。
【００６０】
なお図２及び図３に示すように、区画室部材（５０）の後面側外周縁部と、槽内取付具（２）におけるフランジ（３５）の外周縁部との間には、平板リング状の合成ゴム製パッキン（８５）が介装されて、その間の水密が図られるよう構成されている。
【００６１】
また区画室部材（５０）には、その外周面に、フィルター部材取付用の３つの鉤状溝（３６）が形成されている。
【００６２】
一方、図８ないし図１１に示すように、流路形成部材（３）に設けられる弁部材（７ａ）（７ｂ）は、合成ゴムの一体成形品をもって構成されている。この弁部材（７ａ）（７ｂ）は、断面略Ｌ字型に形成されており、その一片（水平片）が矩形板状の吐出弁（７１）として構成されるとともに、他片（垂直片）が矩形板状の吸込弁（７２）として構成されている。更に吐出弁（７１）及び吸込弁（７２）との間の連結部には、略角棒状の弁支持軸（７３）が設けられている。
【００６３】
この弁部材（７）（７）における弁支持軸（７３）の前部が、流路形成部材（３）における蓋体裏面の弁取付溝（６１ａ）（６１ｂ）に嵌着されるとともに、弁支持軸（７３）の両側端部が、流路形成部材（３）における第１及び第２区画室出口（５３ａ）（５３ｂ）両側の凹段部（５４）（５４）に嵌着される。これにより図８に示すように、自然状態においては、弁部材（７ａ）（７ｂ）の吐出弁（７１）（７１）が、区画室出口（５３ａ）（５３ａ）を混合室（５ｃ）側から閉塞するように配置されるとともに、吸込弁（７２）（７２）が、吸込口（６ａ）（６ｂ）を区画室（５ａ）（５ｂ）側から閉塞するように配置される。
【００６４】
なお図８においては、第２弁部材（７ｂ）側の構成のみを示しているが、本実施形態においては、第１弁部材（７ａ）側の構成も、第２弁部材（７ｂ）側の構成と基本的に同様である。
【００６５】
こうして取り付けられた弁部材（７ａ）（７ｂ）において、吐出弁（７１）（７１）は、その外周縁部が混合室（５ｃ）側における区画室出口（５３ａ）（５３ｂ）の周縁部（弁座部）に弾性力により密着しており、混合室（５ｃ）側から区画室（５ａ）（５ｂ）側に温水が流れ込もうとした際には、その水圧によって、吐出弁（７１）（７１）の区画室出口（５３ａ）（５３ｂ）に対する閉塞状態が維持されて、その方向の温水の流通が規制されるとともに、逆に、区画室（５ａ）（５ｂ）側から混合室（５ｃ）側に温水が流れ込もうとした際には、その水圧によって、吐出弁（７１）（７１）が混合室（５ｃ）側に弾性変形することにより、区画室出口（５３ａ）（５３ｂ）が開放されて、その方向の温水の流通が許容されるよう構成されている。従って弁部材（７ａ）（７ｂ）の吐出弁（７１）（７１）は、混合室（５ｃ）に対し、温水の排出方向の流通は許容し、かつ吸込方向の流通は阻止する逆止弁として機能する。
【００６６】
更に弁部材（７ａ）（７ｂ）の吸込弁（７２）（７２）は、その外周縁部が区画室（５ａ）（５ｂ）側における吸込口（６ａ）（６ｂ）の周縁部（弁座部）に弾性力により密着しており、区画室（５ａ）（５ｂ）側から外部に温水が流れ出そうとした際には、その水圧によって、吸込弁（７２）（７２）の吸込口（６ａ）（６ｂ）に対する閉塞状態が維持されて、その方向の温水の流通が規制されるとともに、逆に、外部から区画室（５ａ）（５ｂ）側に温水が流れ込もうとした際には、その水圧によって、吸込弁（７２）（７２）が内側に弾性変形することにより、吸込口（６ａ）（６ｂ）が開放されて、その方向の温水の流通が許容されるよう構成されている。従って、弁部材（７ａ）（７ｂ）の吸込弁（７２）（７２）は、区画室（５ａ）（５ｂ）に対し、温水の吸込方向の流通は許容し、かつ吐出方向の流通は阻止する逆止弁として機能する。
【００６７】
図１ないし図３に示すように、フィルター部材（９）は、流路形成部材（３）における区画室部材（５０）をその前面から外周側面を覆うように配置されるもので、外装体（９１）と、内枠体（９２）と、フィルター本体（９３）とを備えている。
【００６８】
外装体（９１）は、装置本体（３）の前面側を覆う円板状の前面カバーと、その前面カバーの周縁部に沿って設けられ、かつ区画室部材本体（５）の外周側面を覆う側面カバーとを有するステンレス等の金属のプレス成形品をもって構成されている。
【００６９】
フィルター本体（９３）は、略円板形状の金属製メッシュシートからなり、外装体（９１）の内部における前面カバー裏面側に配置される。
【００７０】
内枠体（９２）は、略円板形状を有し、外装体（９１）の内部における前面カバーの裏面側にフィルター本体（９３）を介して嵌着固定され、これにより、フィルター本体（９３）が、外装体（９１）と内枠体（９２）とに挟持される。
【００７１】
また、外装体（９１）の前面カバーには、前後に貫通する複数の吸込用開口（９５）が放射状に形成されている。
【００７２】
更に外装体（９３）の側面カバーには、流路形成部材（３）の吐出口（５５）に対応して、吐出用開口（９７）が形成されている。
【００７３】
また外装体（９１）における内周側面には、流路形成部材（３）の外周面に設けられた３つの鉤状溝（３６）に対応して、３つの係合突起（９６）が内方突出状に形成されている。そして、この係合突起（９６）が鉤状溝（３６）に挿入係合されることにより、フィルター部材（９）が、流路形成部材（３）に着脱自在に取り付けられている。
【００７４】
なお、この取付状態においては、フィルター部材（９）の吐出用開口（９７）が、流路形成部材（３）の吐出口（５５）に適合して配置される。
【００７５】
本実施形態において、温水口装置（Ｐ）の浴槽（Ｔ）への組付手順は特に限定されるものではないが、例えば、以下のようにして組み付けられる。
【００７６】
まず、浴槽（Ｔ）の側壁外面側における取付孔（Ｈ）に対応する位置に、槽外取付金具（１）を配置する一方、槽内取付具（２）におけるフランジ（１５）の後面側に緩衝部材（８４）及びパッキン（８３）を配置しておいて、その状態で槽内取付具（２）の筒体（２１）を、浴槽（Ｔ）の内側から取付孔（Ｈ）に挿通して槽外取付具（１）の外筒体（１２）にねじ込んで固定する。
【００７７】
次に、流路形成部材（３）を槽内取付具（２）に取り付ける。この際、流路形成部材（３）において、上記したように蓋体（６）に弁部材（７ａ）（７ｂ）をセットしておき、その弁部材付きの蓋体（６）を本体（４）に仮組みしておく。
【００７８】
この状態で、流路形成部材（３）をその筒体（４１）を槽内取付具（２）の筒体（２１）に挿通して、槽外取付具（１）の内筒体（１１）の筒孔に適合状態に挿入する。そして、蓋体（６）の前面側からビス（３７）を、ビス挿通部（６６）（５６）に挿通して、ボス（２６）にねじ込んで固定する。
【００７９】
その後、流路形成部材（３）にフィルター部材（９）を被せて取り付けることにより、温水口装置（Ｐ）の浴槽（Ｔ）への組付作業が完了する。
【００８０】
こうして浴槽（Ｔ）に組み付けられた温水口装置（Ｐ）においては、槽外取付具（１）の外管接続部（１ａ）（１ｂ）に、室外給湯機からの配管が連結されて、浴槽システムが形成される。
【００８１】
この浴槽システムにおいて、浴槽（Ｔ）内に温水を供給して貯湯する場合には、２つの外管接続部（１ａ）（１ｂ）の双方に温水を供給して、２つの流路（Ａ）（Ｂ）の両方が浴槽（Ｔ）に温水を供給する吐出流路として利用される。すなわち温水が流路（Ａ）（Ｂ）を通って、流路形成部材（３）の２つの区画室（５ａ）（５ｂ）内に流入された際には、その水圧によって、弁部材（７）（７）の吐出弁（７１）（７１）が開放されて、温水が区画室（５ａ）（５ｂ）内から混合室（５ｃ）に流入する。
【００８２】
ここで本実施形態においては、第１及び第２区画室出口（５３ａ）（５３ｂ）の互いの開口方向を混合室（５ｃ）内において交差させるようにしているため、第１区画室出口（５３ａ）から混合室（５ｃ）内に供給される温水と、第２区画室出口（５３ｂ）から混合室（５ｃ）内に供給される温水とが互いに勢い良くぶつかり合って、十分に撹拌混合された後、混合室（５ｃ）から吐出口（５５）及びフィルター開口（９７）を通って浴槽（Ｔ）内に供給される。
【００８３】
このため、２つの流路（Ａ）（Ｂ）に温度の異なる温水がそれぞれ供給される場合であっても、温度差のある温水同士は、混合室（５ｃ）内で十分に混合されることにより、温度むらのない状態で、浴槽（Ｔ）内に供給されて貯留される。従って、浴槽（Ｔ）内に貯留されるお湯の温度分布に偏りが生じるのを防止でき、湯はり当初から温度むらのない快適な入浴環境を自動的に得ることができる。
【００８４】
一方、浴槽（Ｔ）内の温水を再加熱するような追い焚き処理を行う場合には、温水口装置（Ｐ）の２つの流路（Ａ）のうち、室外給湯機の往き管に接続された側の流路が吐出流路として機能し、戻り管に接続された側の流路が吸込流路として機能して、いわゆる強制循環が行われる。例えば第１流路（Ａ）が吐出流路、第２流路（Ｂ）が吸込流路となるように配管接続された場合には、給湯機から供給される温水は、第１流路（Ａ）を通って第１区画室（５ａ）に流入され、第１区画室出口（５３ａ）の吐出弁（７１）を開いて、混合室（５ｃ）に流入されて、吐出口（５５）及びフィルター開口（９７）を介して浴槽（Ｔ）内に供給される。
【００８５】
また吸込流路においては、室外給湯機の戻り管及び第２流路（Ｂ）の負圧に伴い、第２区画室（５ｂ）が負圧となる。このため、浴槽（Ｔ）内の水圧によって、流路形成部材（３）における第２吸込口（６ｂ）の吸込弁（７２）が開放して、浴槽（Ｔ）内の温水がフィルター部材（９）を介して第２吸込口（６ｂ）を通って第２区画室（５ｂ）内に流入されて、更に第２流路（Ｂ）を通って室外給湯機に戻される。
【００８６】
ここで本実施形態においては、吐出口（５５）の第１及び第２吐出口部（５５ａ）（５５ｂ）に、第１及び第２区画室出口（５３ａ）（５３ｂ）の開口方向に沿って整流するように整流フィン（５９ａ）（５９ｂ）を形成しているため、吐出流路側の区画室出口、つまり第１区画室出口（５３ａ）から流出される温水は、整流フィン（５９ａ）の整流作用により、第１区画室出口（５３ａ）の流出方向（Ｅａ）に沿って勢いを保ったまま、第１吐出部（５５ａ）から浴槽内に吐出される。こうして、浴槽内に温水が勢い良く、浴槽内面に沿って吐出されるため、浴槽内の温水が十分に撹拌されて、お湯に温度むら等が生じるのを、より確実に防止でき、追い炊き処理を不具合なく行うことができる。
【００８７】
なお、温水口装置（Ｐ）の２の流路（Ａ）（Ｂ）が、室外給湯機の往き管及び戻り管に対し、上記とは逆に接続した場合には、各流路（Ａ）（Ｂ）を温水が上記とは逆方向に流通して、強制循環されるものである。
【００８８】
この場合においても、吐出流路側の第２区画室出口（５３ｂ）から流出される温水は、整流フィン（５９ｂ）の整流作用により、第２区画室出口（５３ｂ）の流出方向（Ｅｂ）に沿って勢いを保ったまま、第２吐出部（５５ｂ）から勢い良く浴槽内に吐出されるため、上記と同様に、浴槽内の温水を十分に撹拌することができる。
【００８９】
また本実施形態においては、装置本体（１０）に混合室（５ｃ）を形成して、２つの区画室（５ａ）（５ｂ）から流出される温水を、一旦、混合室（５ｃ）に導入してから、吐出口（５５）を介して浴槽内に吐出するものであるため、例えば２つの区画室から別々に温水を槽内に吐出する場合と比較して、温水吐出時の流速や方向性等を制御し易くなり、温水を効率良くスムーズに吐出することができる。
【００９０】
また本実施形態においては、吐出弁（７１）及び吸込弁（７２）を一体に有する弁部材（７ａ）（７ｂ）を用いるものであるため、部品点数を削減できて、構造の簡素化を図ることができ、コストの削減を図ることができる。
【００９１】
更に弁部材（７ａ）（７ｂ）を装置本体（１０）に組み付けるだけで、第１及び第２吐出弁（７１）、第１及び第２吸込弁（７２）の４つの弁を組み付けることができ、組付工程数を削減できて、組付作業を容易に行うことができ、より一層コストの削減を図ることができる。
【００９２】
しかも、弁部材（７ａ）（７ｂ）における吐出弁（７１）及び吸込弁（７２）間の連結部に弁支持軸（７３）を形成して、その軸（７３）を装置本体（１０）に組み付けるものであるため、弁部材（７ａ）（７ｂ）を安定状態に組み付けることができ、吐出弁（７１）及び吸込弁（７２）に高い動作信頼性を得ることができて、品質を向上させることができる。
【００９３】
また本実施形態においては、装置本体（１０）の前面から浴槽内に温水を吸い込んで、周側面から浴槽内の温水を吐出するようにした側方吐出／前面吸込方式を採用するものであるため、例えば貯湯時には、温水が浴槽内面に沿って滑らかに供給することができ、吐出される温水の飛散による音の発生を防止でき、静かに湯はりを行える。更に、追い焚き時には、吐出される温水が浴槽内面に沿ってその内周面全域に温水が行き渡るとともに、浴槽中央部の温水が装置内に吸い込まれることにより、浴槽内を温水が大きく安定して循環し、例えば吐出された温水が、循環せずに装置内に吸い込まれるような不具合（ショートサイクル）を有効に防止することができ、追い焚き処理を効率良くスムーズに行うことができる。
【００９４】
更に本実施形態においては、区画室部材（５０）の吸込口（６ａ）（６ｂ）を、多数の小孔によって形成するものであるため、吸込口（６ａ）（６ｂ）から浴槽内の温水を吸い込む際に、吸引力が周辺に分散されるため、浴槽内に浮遊する毛髪等のゴミが、吸込口（６ａ）（６ｂ）に吸い寄せられるのを防止でき、毛髪等が区画室部材（５０）の吸込口周辺に吸い付けられたり、装置内部に吸い込まれたりするを防止することができる。
【００９５】
なお上記実施形態においては、貯湯時に２つの流路（Ａ）（Ｂ）に、温度の異なる温水を供給する給湯システムに本発明を適用した場合を例に挙げて説明したが、それだけに限られず、本発明は２つの流路に、等温の温水をそれぞれ供給するようにした給湯システムにも適用することができる。
【００９６】
更に上記実施形態においては、本発明を無極性タイプの温水口装置に適用した場合を例に挙げて説明したが、本発明は、給湯機につながる往き管及び戻り管が予め設定されている温水口装置にも適用することができる。
【００９７】
また上記実施形態においては、フィルター部材の外周側面から温水を吐出するように構成しているが、本発明は、フィルター部材と浴槽内壁面との隙間から温水を吐出するように構成しても良い。
【００９８】
更に上記実施形態においては、強制循環タイプの追い焚き可能な装置を例に挙げて説明したが、本発明は、湯はり等の貯湯処理のみを行う温水口装置にも適用することができる。
【産業上の利用可能性】
【００９９】
この発明の浴槽用温水口装置は、室外給湯機から浴槽内にお湯を供給するに際して、浴槽壁面に設けられる温水アダプター等の温水供給口部材として利用可能である。
【図面の簡単な説明】
【０１００】
【図１】この発明の実施形態である浴槽用温水口装置を示す断面図である。
【図２】実施形態の温水口装置を分解して示す断面図である。
【図３】実施形態の温水口装置を分解して示す斜視図である。
【図４】実施形態の温水口装置における流路形成部材を分解して示す斜視図である。
【図５】実施形態の温水口装置における流路形成部材本体を示す正面図である。
【図６】実施形態の温水口装置における流路形成部材本体を示す背面図である。
【図７】実施形態の温水口装置における区画室部材の蓋体を示す正面図である。
【図８】実施形態の温水口装置における第２吸込口部分を拡大して示す側面断面図である。
【図９】実施形態に適用された弁部材を拡大して示す正面図である。
【図１０】実施形態に適用された弁部材を拡大して示す平面図である。
【図１１】実施形態に適用された弁部材を拡大して示す側面断面図である。
【符号の説明】
【０１０１】
５ａ、５ｂ…区画室
５ｃ…混合室
５０…区画室部材
５３ａ、５３ｂ…区画室出口
５５…吐出口
５５ａ…吐出口部
５９ａ、５９ｂ…整流フィン
６ａ、６ｂ…吸込口
Ａ、Ｂ…流路
Ｐ…浴槽用温水口装置
Ｔ…浴槽
【図１】
2005315529.tif 000003
【図２】
2005315529.tif 000004
【図３】
2005315529.tif 000005
【図４】
2005315529.tif 000006
【図５】
2005315529.tif 000007
【図６】
2005315529.tif 000008
【図７】
2005315529.tif 000009
【図８】
2005315529.tif 000010
【図９】
2005315529.tif 000011
【図１０】
2005315529.tif 000012
【図１１】
2005315529.tif 000013